【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
上流面、下流面、および前記上流面と前記下流面の間に概ね軸方向に延在する半径方向外側の面を備え、中心線軸を画定する略円筒形のディスク本体と、
前記半径方向外側の面に結合された複数の静翼であって、隣接する前記静翼が、１つの組を形成し、前記隣接する静翼の各々の組の間に流れチャネルが画定されるように配向され、前記流れチャネルが、入り口開口と出口開口の間に概ね軸方向に延在する複数の静翼と、
前縁および後縁を備え、前記ディスク本体に結合され、前記ディスク本体内に一部が配置され、前記ディスク本体の半径方向外側表面の少なくとも１つの穿孔を通って前記流れチャネルに延在し、前記ディスク本体の半径方向外側表面からの前記後縁の半径方向距離が前記流れチャネル内の前記前縁の位置を変えずに第１の半径方向距離と第２の半径方向距離との間で変更できるように選択的に位置決めすることが可能な少なくとも１つの超音波圧縮ランプと、
前記少なくとも１つの超音波圧縮ランプに作動可能に結合され、前記流れチャネル内の垂直衝撃波の位置を算出し、算出された前記垂直衝撃波の位置に基づいて前記超音波圧縮ランプを位置決めする制御システムと、
を備える、超音波圧縮機ロータ。
【請求項２】
前記少なくとも１つの超音波圧縮ランプが、前記流れチャネルのスロート領域を画定し、前記スロート領域が前記流れチャネルの最小の断面積を有し、前記超音波圧縮ランプが、前記スロート領域の断面積を調節するように構成される、請求項１に記載の超音波圧縮機ロータ。
【請求項３】
前記少なくとも１つの超音波圧縮ランプに結合されたアクチュエータをさらに備え、前記アクチュエータが、前記超音波圧縮ランプを第１の位置、第２の位置およびその間の任意の位置に位置決めするように構成される、請求項１に記載の超音波圧縮機ロータ。
【請求項４】
前記少なくとも１つの超音波圧縮ランプに作動可能に結合された制御システムをさらに備えることで、前記超音波圧縮ランプの前記第１の位置、前記第２の位置およびその間の任意の位置における移動を容易にする、請求項１に記載の超音波圧縮機ロータ。
【請求項５】
前記ロータディスクの回転速度を感知し、前記感知した回転速度を示す少なくとも１つの第１の監視信号を生成するように構成された少なくとも１つの第１のセンサをさらに備え、前記制御システムが前記第１のセンサに通信可能に結合されることで、前記第１のセンサから生成された前記第１の監視信号を受信し、前記制御システムが前記受信した第１の監視信号に基づいて前記流れチャネル内の前記垂直衝撃波の位置を計算するように構成される、請求項４に記載の超音波圧縮機ロータ。
【請求項６】
前記流れチャネル内の圧力を感知し、前記感知した圧力を示す少なくとも１つの第２の監視信号を前記制御システムに送信するように構成された少なくとも１つの第２のセンサをさらに備え、前記制御システムが、前記第１の監視信号および前記第２の監視信号に基づいて、前記垂直衝撃波の位置を計算するように構成される、請求項５に記載の超音波圧縮機ロータ。
【請求項７】
前記制御システムが、前記感知した圧力が所定の圧力と異なると判断したとき、前記超音波圧縮ランプを移動させるように構成される、請求項６に記載の超音波圧縮機ロータ。
【請求項８】
流体入り口と流体出口の間に延在するキャビティを画定する内側の面を備えるケーシングと、
前記ケーシング内に位置決めされ、駆動組立体に回転可能に結合された駆動シャフトと、
前記駆動シャフトに結合された超音波圧縮機ロータであって、前記流体入り口から前記流体出口に流体を運ぶために、前記流体入り口と前記流体出口の間に位置決めされる超音波圧縮機ロータと、
を備える超音波圧縮機システムであって、
前記超音波圧縮機ロータが、
上流面、下流面、および前記上流面と前記下流面の間に概ね軸方向に延在する半径方向外側の面を含み、中心線軸を画定する略円筒形のディスク本体と、
半径方向外側の面に結合された複数の静翼であって、隣接する前記静翼が、１つの組を形成し、前記隣接する静翼の各々の組の間に流れチャネルが画定されるように配向され、前記流れチャネルが、入り口開口と出口開口の間に概ね軸方向に延在する複数の静翼と、
前縁および後縁を備え、前記ディスク本体に結合され、前記ディスク本体内に一部が配置され、前記ディスク本体の半径方向外側表面の少なくとも１つの穿孔を通って前記流れチャネルに延在し、前記ディスク本体の半径方向外側表面からの前記後縁の半径方向距離が前記流れチャネル内の前記前縁の位置を変えずに第１の半径方向距離と第２の半径方向距離との間で変更できるように選択的に位置決めすることが可能な少なくとも１つの超音波圧縮ランプと、
前記少なくとも１つの超音波圧縮ランプに作動可能に結合され、前記流れチャネル内の垂直衝撃波の位置を算出し、算出された前記垂直衝撃波の位置に基づいて前記超音波圧縮ランプを位置決めする制御システムと、
を備える、超音波圧縮機システム。
【請求項９】
前記少なくとも１つの超音波圧縮ランプが、前記流れチャネル内にスロート領域を画定し、前記スロート領域が前記流れチャネルの最小の断面積を有し、前記超音波圧縮ランプが、前記スロート領域の断面積を調節するように構成される、請求項８に記載の超音波圧縮機システム。
【請求項１０】
前記少なくとも１つの超音波圧縮ランプに結合されたアクチュエータをさらに備え、前記アクチュエータが、前記超音波圧縮ランプを前記第１の位置、前記第２の位置およびその間の任意の位置に位置決めするように構成される、請求項８に記載の超音波圧縮機システム。
【請求項１１】
前記少なくとも１つの超音波圧縮ランプに作動可能に結合された制御システムをさらに備えることで、前記超音波圧縮ランプの前記第１の位置、前記第２の位置およびその間の任意の位置における移動を容易にする、請求項８に記載の超音波圧縮機システム。
【請求項１２】
前記ロータディスクの回転速度を感知し、前記感知した回転速度を示す少なくとも１つの第１の監視信号を生成するように構成された少なくとも１つの第１のセンサをさらに備え、前記制御システムが前記第１のセンサに通信可能に結合されることで、前記第１のセンサから生成された第１の監視信号を受信し、前記制御システムが前記受信した第１の監視信号に基づいて前記流れチャネル内の前記垂直衝撃波の位置を計算するように構成される、請求項１１に記載の超音波圧縮機システム。
【請求項１３】
前記流れチャネル内の圧力を感知し、前記感知した圧力を示す少なくとも１つの第２の監視信号を前記制御システムに送信するように構成された少なくとも１つの第２のセンサをさらに備え、前記制御システムが、前記第１の監視信号および前記第２の監視信号に基づいて、前記垂直衝撃波の位置を計算するように構成される、請求項１２に記載の超音波圧縮機システム。
【請求項１４】
前記制御システムが、前記感知した圧力が所定の圧力と異なると判断したとき、前記超音波圧縮ランプを位置決めするように構成される、請求項１３に記載の超音波圧縮機システム。
【請求項１５】
（ａ）圧縮すべき流体を回転する超音波圧縮機ロータの入り口開口に取り込むステップであって、前記超音波圧縮機ロータが、（ｉ）上流面、下流面、および前記上流面と前記下流面の間に概ね軸方向に延在する半径方向外側の面を備え、中心軸を画定する略円筒形のディスク本体と、（ｉｉ）前記半径方向外側の面に結合された複数の静翼であって、隣接する前記静翼が１つの組を形成し、隣接する静翼の各々の前記組の間に流れチャネルが画定されるように配向され、前記流れチャネルが、前記入り口開口と出口開口の間に概ね軸方向に延在する複数の静翼と、（ｉｉｉ）前記流れチャネル内に位置決めされ、第１の位置、第２の位置およびそれらの間の任意の位置に選択式に位置決めすることが可能な少なくとも１つの超音波圧縮ランプとを備えるステップと、
（ｂ）前記超音波圧縮機ランプの後縁によって画定されるスロート領域の下流に垂直衝撃波が形成されるまで、前記超音波圧縮機ランプが前記第１の位置に位置決めされた状態で前記超音波圧縮機ロータを作動させるステップであって、前記超音波圧縮ランプが、前縁および後縁を備え、前記ディスク本体に結合され、前記ディスク本体内に一部が配置され、前記ディスク本体の半径方向外側表面の少なくとも１つの穿孔を通って前記流れチャネルに延在し、前記ディスク本体の半径方向外側表面からの前記後縁の半径方向距離が前記流れチャネル内の前記前縁の位置を変えずに第１の半径方向距離と第２の半径方向距離との間で変更できるように選択的に位置決めすることが可能である、ステップと、
（ｃ）前記超音波圧縮機ランプを前記第２の位置に位置決めするステップであって、前記第２の位置が、前記第１の位置の対応する最小断面積より小さい最小断面積によって特徴付けられるステップと、
（ｄ）前記超音波圧縮機ロータを前記超音波圧縮機ランプが前記第２の位置に位置決めされた状態で作動させ、圧縮流体を生成するステップと、
（ｅ）前記流れチャネル内の前記垂直衝撃波の位置を算出するステップと、
（ｆ）算出された前記垂直衝撃波の位置に基づいて、前記超音波圧縮ランプを前記第１の位置、前記第２の位置およびそれらの間の任意の位置に位置決めするステップと、
を含む、流体を圧縮する方法。
【請求項１６】
前記流れチャネル内の前記垂直衝撃波の位置を算出するステップが、
第１のセンサから制御システムに、前記超音波圧縮機ロータの回転速度を示す第１の信号を送信するステップと、
少なくとも一部が前記第１の信号に基づいて前記垂直衝撃波の位置を計算するステップと、
をさらに含む、請求項１５に記載の方法。
【請求項１７】
前記流れチャネル内の前記垂直衝撃波の位置を算出するステップが、
第２のセンサから制御システムに、前記流れチャネル内の圧力を示す第２の信号を送信するステップと、
少なくとも一部が前記第１の信号および前記第２の信号に基づいて前記垂直衝撃波の位置を計算するステップと、
をさらに含む、請求項１５に記載の方法。
【請求項１８】
前記超音波圧縮ランプを位置決めするステップが、
前記計算された位置に基づいて、前記垂直衝撃波が前記スロート領域の下流に位置決めされているかどうかを判断するステップと、
前記垂直衝撃波が前記スロート領域の下流に位置決めされているかどうかの前記判断に基づいて、前記超音波圧縮ランプを前記第１の位置、前記第２の位置およびその間の任意の位置に位置決めするステップと、
をさらに含む、請求項１７に記載の方法。